(57)【要約】【課題】臀部の下部のフィット性に優れるものとする。【解決手段】外装体に対して弾性的に伸縮する伸縮部材が固定されており、  前記伸縮部材は、後身頃Ｂの左方側縁部から左開口縁に沿い、かつ、後身頃Ｂの右方側縁部から右開口縁に沿い、幅方向中心部を連続する、あるいは幅方向中心部が不連続である第１伸縮部材３１と、後身頃Ｂの左方側縁部から前身頃Ｆの右方側に向かう第２伸縮部材３２と、後身頃Ｂの右方側縁部から前身頃Ｆの左方側に向かう第３伸縮部材３３と、を有し、前記第２伸縮部材３２及び第３伸縮部材３３は、後身頃Ｂの前記吸収体から離隔した左方及び右方位置において、前記第１伸縮部材３１とそれぞれ交差している。【選択図】図２
2018161265.tif 000002
【特許請求の範囲】
【請求項１】
前身頃及び後身頃を個別又は一体的に構成する外装体と、前身頃から後身頃にわたるように外装体の内側に設けられた、吸収体を含む吸収要素とを備え、
前身頃の外装体の両側縁部と後身頃の外装体の両側縁部とが接合されてサイドシール部が形成されることにより、ウエスト開口及び左右一対の脚開口が形成されたパンツタイプ使い捨ておむつにおいて、
前記外装体に対して弾性的に伸縮する伸縮部材が固定されており、
前記伸縮部材は、後身頃の左方側縁部から左開口縁に沿い、かつ、後身頃の右方側縁部から右開口縁に沿い、幅方向中心部を連続する、あるいは幅方向中心部が不連続である第１伸縮部材と、
後身頃の左方側縁部から前身頃の右方側に向かう第２伸縮部材と、
後身頃の右方側縁部から前身頃の左方側に向かう第３伸縮部材と、を有し、
前記第２伸縮部材及び第３伸縮部材は、後身頃の前記吸収体から離隔した左方及び右方位置において、前記第１伸縮部材とそれぞれ交差している、
ことを特徴とするパンツタイプ使い捨ておむつ。
【請求項２】
前記第２伸縮部材は、後身頃の左方側縁部から前身頃の右方側に向かって連続しており、
前記第３伸縮部材は、後身頃の右方側縁部から前身頃の左方側に向かって連続している、
請求項１記載のパンツタイプ使い捨ておむつ。
【請求項３】
前記第２伸縮部材は、前身頃の脚開口に沿って前身頃の右方側縁部に達し、
前記第３伸縮部材は、前身頃の脚開口に沿って前身頃の左方側縁部に達している、
請求項２記載のパンツタイプ使い捨ておむつ。
【請求項４】
前記第２伸縮部材と前記第３伸縮部材とが吸収体位置で交差しており、その交差領域は、前身頃側に位置している請求項１又は２記載のパンツタイプ使い捨ておむつ。
【請求項５】
前記第１伸縮部材、第２伸縮部材及び第３伸縮部材は、それぞれ相互に間隔を置いて離隔した複数本の伸縮部材である請求項１記載のパンツタイプ使い捨ておむつ。
【請求項６】
前記第１伸縮部材、第２伸縮部材及び第３伸縮部材は、それぞれ相互に間隔を置いて離隔した複数本の伸縮部材であり、
前記第２伸縮部材及び第３伸縮部材は、後身頃の左方及び右方において、前記第１伸縮部材とそれぞれ交差しており、
前記第２伸縮部材及び第３伸縮部材の離隔間隔は、ウエスト開口部に寄るほど大きくなっている請求項１記載のパンツタイプ使い捨ておむつ。
【発明の詳細な説明】
【技術分野】
【０００１】
本発明は、パンツタイプ使い捨ておむつに関する。
【背景技術】
【０００２】
パンツタイプ使い捨ておむつは、前身頃及び後身頃を個別又は一体的に構成する外装体と、前身頃から後身頃にわたるように外装体の内面に取り付けられた、吸収体を含む内装体とを備え、前身頃の外装体の両側縁部と後身頃の外装体の両側縁部とが接合されてサイドシール部が形成されることにより、ウエスト開口及び左右一対の脚開口が形成されているものが一般的である。また、パンツタイプ使い捨ておむつにおいては、フィット性を向上させるために、例えば、脚周り部や胴周り部に糸ゴム等の弾性部材を設けることが一般的となっている（例えば、特許文献１参照）。
【０００３】
しかし、股間部の吸収体存在領域は、弾性部材によるフィット性の改善に適さない。すなわち、吸収体存在領域を弾性部材によって弾性伸縮させようとしても、吸収体の剛性によって十分な伸縮量を確保できないばかりか、たとえ弾性部材により吸収体に十分な伸縮量を確保できたとしても、その場合には吸収体に不規則な凹凸ができ、ごわつきや漏れの原因になる。このため、現在では、吸収体存在領域にはできるだけ弾性部材を設けないことが一般的である。
【０００４】
他方で、臀部の下部のフィット性の改善は難しい技術である。すなわち、人体形状として、前身頃から股下にかけては比較的平坦な形状であるが、臀部、特に臀部の下部は急な丸みを帯びた形状をなして股下に連なっている。
そのために、おむつを臀部下部の形状に沿わせてフィットさせるのはきわめて難しい。
【０００５】
この問題に対して、従来から種々の提案がなされてきた（特許文献１及び特許文献２）。
【先行技術文献】
【特許文献】
【０００６】
【特許文献１】特開平９−３１３５３４号公報
【特許文献２】特開２０１３−１８８４３４号公報
【発明の概要】
【発明が解決しようとする課題】
【０００７】
しかし、これらの技術は、股下を引き上げるものであるか、脚周りをフィットさせるものであり、臀部の下部のフィット性に着目したものではないと考えられる。
【０００８】
そこで本発明の主たる課題は、臀部の下部のフィット性に優れる使い捨ておむつを提供することにある。
【課題を解決するための手段】
【０００９】
上記課題を解決した本発明は、
前身頃及び後身頃を個別又は一体的に構成する外装体と、前身頃から後身頃にわたるように外装体の内側に設けられた、吸収体を含む吸収要素とを備え、
前身頃の外装体の両側縁部と後身頃の外装体の両側縁部とが接合されてサイドシール部が形成されることにより、ウエスト開口及び左右一対の脚開口が形成されたパンツタイプ使い捨ておむつにおいて、
前記外装体に対して弾性的に伸縮する伸縮部材が固定されており、
前記伸縮部材は、後身頃の左方側縁部から左開口縁に沿い、かつ、後身頃の右方側縁部から右開口縁に沿い、幅方向中心部を連続する、あるいは幅方向中心部が不連続である第１伸縮部材と、
後身頃の左方側縁部から前記吸収体の縦方向中間部に側縁に向かう第２伸縮部材と、
後身頃の右方側縁部から前記吸収体の縦方向中間部に側縁に向かう第３伸縮部材と、を有し、
前記第２伸縮部材及び第３伸縮部材は、後身頃の前記吸収体から離隔した左方及び右方位置において、前記第１伸縮部材とそれぞれ交差している、
ことを特徴とするパンツタイプ使い捨ておむつに係るものである。
なお、「左」「右」の意義は、装着者基準であるとともに、図１の展開状態において図面上の左右にも対応している。
【００１０】
第２伸縮部材及び第３伸縮部材が、第１伸縮部材とそれぞれ交差していることは、第２伸縮部材及び第３伸縮部材の側縁部が、第１伸縮部材の側縁部より、ウエスト開口側に位置していることを意味している。
その結果、後身頃の左方側縁部から前身頃の右方側に向かう第２伸縮部材は、後身頃の左方領域の下部を引き上げ、後身頃の右方側縁部から前身頃の左方側に向かう第３伸縮部材は、後身頃の右方領域の下部を引き上げるように機能する。
さらに、第２伸縮部材及び第３伸縮部材は、後身頃の吸収体から離隔した左方及び右方位置において、前記第１伸縮部材とそれぞれ交差しているので、交差点を含むその近傍領域（以下、「交差領域」ともいう。）における外装体は、着用者の肌に密接することになる。着用者が立位から座位にあるいは屈んだりしても、外装体が着用者の肌に密接し、スキマを発生しにくいものとなる。
逆の観点から説明すれば、第１伸縮部材は、交差領域を含むから、その収縮力により脚回りをしっかり密封する。第２伸縮部材及び第３伸縮部材は、交差領域を含むから、それらの収縮力により後身頃の左方臀部領域及び右方臀部領域を確実に引き上げるように機能する。
【００１１】
前記第２伸縮部材は、後身頃の左方側縁部から前身頃の右方側に向かって連続しており、
前記第３伸縮部材は、後身頃の右方側縁部から前身頃の左方側に向かって連続していることが望ましい。
第２伸縮部材による後身頃の左方領域の引き上げ効果は、第２伸縮部材が前身頃の右方側に向かって連続していることで、後身頃と前身頃との間で股下を引き上げるように機能するので、より高まる。
同様に、第３伸縮部材による後身頃の右方領域の引き上げ効果は、第３伸縮部材が前身頃の左方側に向かって連続していることで、後身頃と前身頃との間で股下を引き上げるように機能するので、より高まる。
なお、本発明において、第２伸縮部材及び第３伸縮部材が連続していることを必須とするものではない。
【００１２】
前記第２伸縮部材及び前記第３伸縮部材は、前身頃の脚開口に沿ってサイドシール部が形成された側縁部に達していることが望ましい。
これによって、脚開口全体を肌にフィットさせ漏れ防止を図ることができる。
【００１３】
前記第２伸縮部材と前記第３伸縮部材とが交差しており、その交差領域は、前身頃側に位置している構成とすることができる。交差領域は特に吸収体位置であることが望ましい。
これによって、吸収体を肌側及びウエスト開口に引き上げて身体にフィットさせることができる。
なお、本発明において、第２伸縮部材と第３伸縮部材とが交差していることを必須とするものではない。
【００１４】
前記第１伸縮部材、第２伸縮部材及び第３伸縮部材は、それぞれ相互に間隔を置いて離隔した複数本の伸縮部材とすることができる。
複数本の伸縮部材によって、その配置領域全体を身体にフィットさせることができる。
【００１５】
前記第１伸縮部材、第２伸縮部材及び第３伸縮部材は、それぞれ相互に間隔を置いて離隔した複数本の伸縮部材であり、
前記第２伸縮部材及び第３伸縮部材は、後身頃の左方及び右方において、前記第１伸縮部材とそれぞれ交差しており、
前記第２伸縮部材及び第３伸縮部材の離隔間隔は、ウエスト開口部に寄るほど大きくなっている構成とすることができる。
前記第２伸縮部材及び第３伸縮部材の前記第１伸縮部材に沿う離隔間隔が同一である場合、収縮力のバランスが悪い場合がある。すなわち、臀部、特に脚開口から離れた臀部での収縮力は小さく、脚開口に近い部分はフィット性及び漏れ防止の観点から収縮力を大きめにしたい場合がある。かかるケースに上記形態は有効である。この原理については、後に実施の形態を示す図面を参照しながら説明する。
【発明の効果】
【００１６】
以上のとおり、本発明によれば、臀部の下部のフィット性に優れる使い捨ておむつを提供することができる。
【図面の簡単な説明】
【００１７】
【図１】展開状態のパンツタイプ使い捨ておむつの平面図（内面側）である。
【図２】展開状態のパンツタイプ使い捨ておむつの吸収体のみを示した平面図（外面側）である。
【図３】図１の３−３線断面図である。
【図４】図１の４−４断面図である。
【図５】図１の５−５断面図である。
【図６】装着状態の前側からの斜視図である。
【図７】装着状態の背側からの視図である。
【図８】態様を異にするパンツタイプ使い捨ておむつの展開状態の平面図である。
【図９】パンツタイプ使い捨ておむつの別体例の展開状態の平面図である。
【図１０】吸収体の伸縮を概念的に示した展開状態の平面図である。
【図１１】パンツタイプ使い捨ておむつの収縮力の説明用平面図である。
【図１２】パンツタイプ使い捨ておむつの収縮力の説明用の部分平面図である。
【発明を実施するための形態】
【００１８】
以下、本発明の一実施形態について、添付図面を参照しつつ詳説する。なお、用語「伸長率」は自然長を１００％としたときの値を意味する。また、図中の細かい網点模様部分はホットメルト接着剤等の接合手段を示している。
図１〜図８はパンツタイプ使い捨ておむつの一例を示している。このパンツタイプ使い捨ておむつ（以下、単におむつともいう。）は、前身頃Ｆ及び後身頃Ｂを一体的に構成する外装体２０と、前身頃Ｆから後身頃Ｂにわたるように外装体２０の内面に固定された内装体１０とを有しており、内装体１０は液透過性表面シート１１と液不透過性裏面側シート１２との間にパルプを有しある程度の剛性の有する吸収体１３が介在されてなるものである。例えば、製造に際しては、外装体２０の内面（上面）に対して内装体１０の裏面がホットメルト接着剤などの接合手段によって接合（図２の点模様部分）された後に、内装体１０および外装体２０が前身頃Ｆ及び後身頃Ｂの境界である前後方向（縦方向）中央で折り畳まれ、その両側部が相互に熱溶着またはホットメルト接着剤などによって接合されてサイドシール部２１が形成されることによって、ウエスト開口及び左右一対の脚開口が形成されたパンツタイプ使い捨ておむつとなる。
この構成自体は公知のものである。
【００１９】
（内装体の構造例）
内装体１０は、図３〜図４に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。内装体１０の平面形状は特に限定されないが、図示形態のように略長方形とすることが一般的である。
【００２０】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００２１】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００２２】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２３】
吸収体１３の全体形状は、股間部分に前後両側よりも幅の狭い括れ部分１３Ｎを有する略砂時計状に形成されているが、長方形状等、適宜の任意形状とすることができる。括れ部分１３Ｎの寸法は適宜定めることができるが、括れ部分１３Ｎの前後方向長さはおむつ全長の２０〜５０％程度とすることができ、その最も狭い部分の幅は吸収体１３の全幅の４０〜６０％程度とすることができる。このような括れ部分１３Ｎを有する場合において、内装体１０の平面形状が略長方形とされていると、内装体１０における吸収体１３の括れ部分１３Ｎと対応する部分に、吸収体１３を有しない余り部分が形成される。
図示の形態はトランクスタイプの使い捨ておむつであるので、括れ部分１３Ｎの縦方向長さは小さめとしてある。
【００２４】
内装体１０の両側部には脚周りにフィットする立体ギャザーＢＳが形成されている。この立体ギャザーＢＳは、図３及び図４に示されるように、内装体の裏面の側部に固定された固定部と、この固定部から内装体の側方を経て内装体の表面の側部まで延在する本体部と、本体部の前後端部が倒伏状態で内装体の表面の側部に固定されて形成された倒伏部分と、この倒伏部分間が非固定とされて形成された自由部分とが、折返しによって二重シートとした立体ギャザーシート１５により形成されている。立体ギャザーシート１５としては撥水性とされた不織布が好適に用いられる。
【００２５】
また、二重シートのシート間には、自由部分の先端部等に細長状の立体ギャザー弾性部材１６が配設されている。立体ギャザー弾性部材１６は、製品状態において図３に二点鎖線で示すように、弾性伸縮力により吸収体側縁部より突出する自由部分を起立させて立体ギャザーＢＳを形成するためのものである。
【００２６】
液不透過性裏面側シート１２は、液透過性表面シート１１とともに吸収体１３の幅方向両側で裏側に折り返されている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００２７】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は１０．０ｍｍ以下として配設するのがよい。なお、ギャザー弾性部材１６としては、図示形態のような糸状の他、ある程度の幅を有するテープ状のものを用いることもできる。
【００２８】
前述の立体ギャザーシート１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに立体ギャザーシート１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００２９】
（外装体の構造例）
外装体２０は、前後方向中央から腹側に延在する前身頃Ｆを構成する部分と、前後方向中央から背側に延在する後身頃Ｂを構成する部分とを有し、これら前身頃Ｆの両側部と後身頃Ｂの両側部とが接合されてサイドシール部２１が形成されるとともに、図５に示すように、装着者の胴を通すためのウエスト開口及び脚を通すための左右一対の脚開口が形成されているものである。
【００３０】
外装体２０は、サイドシール部２１を有する縦方向範囲（ウエスト開口から脚開口の上端に至る縦方向範囲）として定まる胴周り部Ｔと、脚開口を形成する部分の前後方向範囲（前身頃Ｆのサイドシール部２１を有する縦方向領域と後身頃Ｂのサイドシール部２１を有する縦方向領域との間）して定まる脚開口部Ｌとを有する。胴周り部Ｔは、概念的にウエスト開口の縁部を形成するウエスト部Ｗと、これよりも下側の部分であるウエスト下方部Ｕとに分けることができる。通常、胴周り部Ｔ内に幅方向伸縮応力が変化する境界（例えば弾性伸縮部材の太さや伸長率が変化する）を有する場合は、最もウエスト開口側の境界よりもウエスト開口側がウエスト部Ｗとなり、このような境界が無い場合は吸収体１３又は内装体１０よりもウエスト開口側がウエスト部Ｗとなる。
【００３１】
外装体２０は、図２〜図４にも示されるように、それぞれ不織布等からなる押えシート２０Ａ及びバックシート２０Ｂからなる２層構造とされ、押えシート２０Ａとバックシート２０Ｂとの間、及びバックシート２０Ｂをウエスト開口縁で内面側に折り返してなる折り返し部分２０Ｃの不織布間に各種弾性部材が配設され、伸縮性が付与されている。平面形状は、中間両側部にそれぞれ脚開口を形成するために形成された凹状の脚周りライン２９により、全体として擬似砂時計形状をなしている。
【００３２】
図示形態の外装体２０は、前身頃Ｆ及び後身頃Ｂのそれぞれにおいて、幅方向に沿う弾性部材として、ウエスト部Ｗに配置されたウエスト部弾性部材２４、ウエスト下方部Ｕに配置されたウエスト下方部弾性部材２５を有する。
【００３３】
ウエスト部弾性部材２４は、装着者のウエストを、伸縮性をもって締め付けるためのものであり、図示例ではウエスト部Ｗにおける層間に幅方向に沿って伸長状態で取り付けられた糸ゴム等の細長状弾性部材とされており、縦方向に間隔をおいて複数本設けられている。このウエスト部弾性部材２４は、図示例では糸ゴムを用いたが、例えばテープ状の伸縮部材を用いてもよい。また、図示形態のウエスト部弾性部材２４は、ウエスト部におけるバックシート２０Ｂの折り返し部分２０Ｃの不織布間に挟持されているが、押えシート２０Ａとバックシート２０Ｂとの間に挟持しても良い。ウエスト部弾性部材２４は、ウエスト部Ｗの幅方向全体に設けられることが望ましい。
【００３４】
ウエスト下方部弾性部材２５は、おむつを装着者の下腹部や臀部に伸縮性をもって密着させるためのものであり、図示例ではウエスト下方部Ｕにおける層間に幅方向に沿って伸長状態で取り付けられた糸ゴム等の細長状弾性部材とされており、縦方向に間隔をおいて複数本設けられている。ウエスト下方部弾性部材２５は、ウエスト下方部Ｕのうち少なくとも吸収体の幅方向中間部の幅方向両側に設けられ、側縁はサイドシール部２１まで設けられることが望ましい。
なお、ウエスト下方部弾性部材２５を設けられることが望ましいが、必須ではない。
【００３５】
（伸縮部材）
本発明においては、外装体に対して弾性的に伸縮する糸ゴム等の細長状の伸縮部材が固定されている。
【００３６】
前記伸縮部材としては、内装体１０の吸収体１３とその関係で図示した図２に明示されているように、後身頃Ｂの左方側縁部から左開口縁に沿い、かつ、後身頃Ｂの右方側縁部から右開口縁に沿い、幅方向中心部を連続する（図２及び図８の態様）、あるいは幅方向中心部が不連続である（この態様は図９に示した）第１伸縮部材３１と、
後身頃Ｂの左方側縁部から吸収体１３の縦方向中間部の側縁に向かい、望ましくは前身頃Ｆの右方側に向かい、右側縁部に達する（図２の態様）第２伸縮部材３２と、
後身頃Ｂの右方側縁部から吸収体１３の縦方向中間部の側縁に向かい、望ましくは前身頃Ｆの左方側に向かい、左側縁部に達する（図２の態様）第３伸縮部材３３と、が含まれる。
そして、前記第２伸縮部材３２及び第３伸縮部材３３は、後身頃Ｂの前記吸収体から離隔した左方及び右方位置において、前記第１伸縮部材３１とそれぞれ交差している。この交差領域を符号Ｘで示してある。なお、混同を避けるために、第１伸縮部材３１を破線で、第２伸縮部材３２及び第３伸縮部材３３を実線で示してある。
【００３７】
第２伸縮部材３２及び第３伸縮部材３３が、第１伸縮部材３１とそれぞれ交差している結果、第２伸縮部材３２及び第３伸縮部材３３の側縁部が、第１伸縮部材３１の側縁部より、ウエスト開口側に位置している。
その結果、後身頃Ｂの左方側縁部から前身頃Ｆの右方側に向かう第２伸縮部材３２は、後身頃Ｂの左方領域の下部を引き上げ、後身頃の右方側縁部から前身頃Ｆの左方側に向かう第３伸縮部材３３と、後身頃の右方領域の下部を引き上げるように機能する。
さらに、第２伸縮部材３２及び第３伸縮部材３３は、後身頃の吸収体から離隔した左方及び右方位置において、前記第１伸縮部材３１とそれぞれ交差しているので、交差点を含むその近傍領域Ｘにおける外装体は、着用者の肌に密接することになる。着用者が立位から座位にあるいは屈んだりしても、外装体が着用者の肌に密接し、スキマを発生しにくいものとなる。
逆の観点から説明すれば、第１伸縮部材３１は、交差領域を含むから、その収縮力により脚回りをしっかり密封する。第２伸縮部材３２及び第３伸縮部材３３は、交差領域を含むから、それらの収縮力により後身頃の左方臀部領域及び右方臀部領域を確実に引き上げるように機能する。
【００３８】
前記第２伸縮部材３２は、後身頃Ｂの左方側縁部から吸収体１３の縦方向中間部に側縁に向かい前身頃Ｆの右方側縁部まで連続しており、
前記第３伸縮部材３３は、後身頃Ｂの右方側縁部から吸収体１３の縦方向中間部に側縁に向かい前身頃Ｆの左方側縁部まで連続していることが望ましい。
第２伸縮部材３２による後身頃Ｂの左方領域の引き上げ効果は、第２伸縮部材３２が前身頃Ｆの右方側に向かって連続していることで、後身頃と前身頃Ｆとの間で股下を引き上げるように機能するので、より高まる。
同様に、第３伸縮部材３３による後身頃Ｂの右方領域の引き上げ効果は、第３伸縮部材３３が前身頃Ｆの左方側に向かって連続していることで、後身頃と前身頃Ｆとの間で股下を引き上げるように機能するので、より高まる。
【００３９】
なお、本発明において、図８に示すように、第２伸縮部材３２及び第３伸縮部材３３が連続しておらず、途中で途切れていてもよい。
また、前身頃Ｆにおける伸縮部材３２及び第３伸縮部材３３は、脚開口に沿うものではなく、後身頃Ｂと同様にウエスト開口側に向かって延在し（この態様は図示していないが縦方向中心において対称であるから直ちに分かるであろう。）、前身頃Ｆを引き上げるものでもよい。
【００４０】
先に触れたように、また図２に明示のように、第２伸縮部材３２及び第３伸縮部材３３は、前身頃Ｆの脚開口に沿ってサイドシール部が形成された側縁部に達していることが望ましい。
これによって、脚開口全体を肌にフィットさせ漏れ防止を図ることができる。
【００４１】
参照される図２のように、第２伸縮部材３２と第３伸縮部材３３とが交差しており、その交差領域Ｙは、前身頃Ｆ側に位置している構成とすることができる。交差領域は特に吸収体１３位置であることが望ましい。
これによって、吸収体を肌側及びウエスト開口に引き上げて身体にフィットさせることができる。
【００４２】
第１伸縮部材３１、第２伸縮部材３２及び第３伸縮部材３３は、それぞれ相互に間隔を置いて、例えば２〜１０ｍｍ程度離隔した複数本の伸縮部材とすることができる。
複数本の伸縮部材によって、その配置領域全体を身体にフィットさせることができる。また、第１伸縮部材３１、第２伸縮部材３２及び第３伸縮部材３３は、複数本を束ねたものでもよい。
【００４３】
典型的に図２及びその一部を拡大で図示した図１２に示すように、第１伸縮部材３１、第２伸縮部材３２及び第３伸縮部材３３は、それぞれ相互に間隔を置いて離隔した複数本の伸縮部材であり、
第２伸縮部材３２及び第３伸縮部材３３は、後身頃Ｂの左方及び右方において、第１伸縮部材３１とそれぞれ交差しており、
第２伸縮部材３２及び第３伸縮部材３３の離隔間隔は、ウエスト開口部に寄るほど大きくなっている構成とすることができる。
【００４４】
第２伸縮部材３２及び第３伸縮部材３３の離隔間隔としていかなる基準とするかは、態様が種々考えられるので一律に決め難いが、一つは図１２に示すように、交点から他の伸縮部材に対する幅方向の長さを基準とするものである（ａ、ｂ、ｃ、ｄ）。
他の基準として、交点から他の伸縮部材に対する第１伸縮部材３１に沿う長さを基準とするものである。しかし、この場合には、図１２に示すように、ａに相当する長さが過度に長くなり基準として適切でないケースが生じる可能性がある。
【００４５】
前記第２伸縮部材３２及び第３伸縮部材３３の離隔間隔が同一である場合、収縮力のバランスが悪い場合がある。すなわち、臀部、特に脚開口から離れた臀部での収縮力は小さく、脚開口に近い部分はフィット性及び漏れ防止の観点から収縮力を大きめにしたい場合がある。かかるケースに上記形態は有効である。
【００４６】
ところで、第１伸縮部材３１は装着者の脚周りに沿って配置されるが、特に脚が細い装着者においては密着性が良好ではなく、脚周りに隙間を生じることがあり、漏れが発生する原因となる。
このため、図１０の白抜き矢印で示した部分に製品幅方向に弾性部材を配置し、伸縮力を補填する方法を用いる場合が考えられる。しかし、かかる補填形態では、特に丈の長いおむつ（ボクサー、トランクス形状おむつ）において、製品幅方向（白抜き矢印方向）に股下の丈の引き込みが発生する。
これに対して、本発明の実施の形態である図２及び図１２に示すように、第１伸縮部材３１に第２伸縮部材３２、又は第３伸縮部材３３を交差させると、その交差領域Ｘにおいては、第１伸縮部材３１及び第２伸縮部材３２又は第３伸縮部材３３の収縮力が肌側への押圧力として作用するので、脚が細い装着者の場合において、脚回りに隙間を生じるのを抑制できる。
また第２伸縮部材３２と第３伸縮部材３３は、ウエストＷ側に引き上げるように作用するので、臀部下部をフィットさせることができる。
【００４７】
ところで、交差領域Ｘにおいては、第１伸縮部材３１の収縮力と、第２伸縮部材３２又は第３伸縮部材３３の収縮力とが集中し、着用者に過度の圧迫を加えかねない。
そこで、図１２のように、前記第２伸縮部材３２及び第３伸縮部材３３の離隔間隔がウエスト開口側ほど長くすることによって、臀部より下方の脚周りでは比較的強い収縮力を発揮させ、臀部では弱い収縮力を発揮させるようにするのが、全体的な着用性のバランスから望ましいものである。
【００４８】
（その他）
上述の例では、前身頃Ｆから後身頃Ｂまでを一体的な外装体１２により連続的に覆っているが、外装体が前身頃Ｆを構成するものと後身頃Ｂを構成するものとに分割されており、前身頃Ｆの外装体と後身頃Ｂの外装体とが股間側で連続しておらず、離間されている形態も採用することができる（図示略）。この場合、前身頃の外装体は、少なくとも縦方向伸縮部と重なる部分、その幅方向両側の部分及びこれらのウエスト開口側の部分を有するものとされる。また、内装体の裏面は不織布等の股間部外装体により被覆することができる。
【産業上の利用可能性】
【００４９】
本発明は、上記例のようなパンツタイプ使い捨ておむつに利用できるものである。
【符号の説明】
【００５０】
Ｂ…後身頃、ＢＳ…立体ギャザー、Ｆ…前身頃、１０…内装体、１１…表面シート、１２…液不透過性裏面側シート、１３…吸収体、１３Ｎ…括れ部分、１４…包装シート、１５…立体ギャザーシート、１６…立体ギャザー弾性部材、１７…縦方向伸縮部、２０…外装体、２０Ｃ…折り返し部分、２１…サイドシール部、２４…ウエスト部弾性部材、２５…ウエスト下方部弾性部材、２６，２８…湾曲弾性部材、２７…脚開口部弾性部材、２９…脚周りライン、Ｔ…胴周り部、Ｌ…脚開口部、Ｗ…ウエスト部、Ｕ…ウエスト下方部、１８…スリット、１９…低目付部。
【図１】
2018161265.tif 000003
【図２】
2018161265.tif 000004
【図３】
2018161265.tif 000005
【図４】
2018161265.tif 000006
【図５】
2018161265.tif 000007
【図６】
2018161265.tif 000008
【図７】
2018161265.tif 000009
【図８】
2018161265.tif 000010
【図９】
2018161265.tif 000011
【図１０】
2018161265.tif 000012
【図１１】
2018161265.tif 000013
【図１２】
2018161265.tif 000014